(57)【特許請求の範囲】
【請求項１】
操作対象機器を操作するための、操作端末、サーバ装置、及び無線通信装置を含む無線操作システムであって、
前記操作端末は、
検出された操作入力に応じて、前記操作対象機器または前記サーバ装置を操作するための第１操作信号を、第１近距離無線通信で、前記無線通信装置及び前記サーバ装置に送信するよう構成された操作端末近距離無線送信部を備え、
前記無線通信装置は、
前記第１操作信号を受信するよう構成された近距離無線受信部と、
前記第１近距離無線通信より遠距離での無線通信が可能な遠距離無線通信で、前記サーバ装置に対して第２操作信号を送信するよう構成された遠距離無線送信部と、
前記遠距離無線通信より近距離での無線通信が可能な第２近距離無線通信で、前記操作対象機器に対して第３操作信号を送信するよう構成された近距離無線送信部と、
前記近距離無線受信部で受信された前記第１操作信号の内容に応じて、該第１操作信号を、前記第２操作信号または前記第３操作信号のいずれかに変換するよう構成された操作信号変換部と、
前記サーバ装置から、前記サーバ装置が前記第１操作信号を受信したことを示す受信確認情報を受信する確認情報受信部と、を備え、
前記サーバ装置は、
前記第１操作信号を受信するよう構成されたサーバ装置近距離無線受信部と、
前記第２操作信号を受信するよう構成されたサーバ装置遠距離無線受信部と、
前記第１操作信号及び前記第２操作信号に基づいて、前記操作対象機器にデータを送信するよう制御する制御部と、
前記サーバ装置近距離無線受信部による前記第１操作信号の受信状況に応じて、前記無線通信装置に対して前記受信確認情報を送信する確認情報送信部と、備え、
前記無線通信装置の前記遠距離無線送信部は、前記受信確認情報が、前記サーバ装置近距離無線受信部による前記第１操作信号の受信不能を示すときにのみ、前記サーバ装置に対して前記第２操作信号を送信する
ことを特徴とする無線操作システム。
【請求項２】
前記無線通信装置は、画像を表示可能な表示部をさらに備え、
前記表示部は、前記確認情報送信部による前記受信確認情報の受信状況に応じた操作状況を表示するよう構成された
ことを特徴とする請求項１に記載の無線操作システム。
【発明の詳細な説明】
【技術分野】
【０００１】
本発明の一態様は、無線ネットワークに接続された操作対象端末と、操作対象端末にデータを送信するサーバ装置とを無線で操作するための無線通信装置などに関する。
【背景技術】
【０００２】
家庭内に、映像コンテンツなどのコンテンツを受信して送信したり、記録されたコンテンツを送信したりすることができるマルチメディアコンテンツサーバを１台設置し、このマルチメディアコンテンツサーバから、各部屋に配置された表示装置に対してコンテンツを送信するシステムがある。このようなこのようなシステムにおいては、家庭内のすべての部屋からマルチメディアコンテンツサーバを操作しようとする場合、赤外線（ＩＲ）通信のような近距離無線通信ではなく、Ｗｉ−Ｆｉ通信のような比較的遠距離に対応可能な通信方式を利用するリモコンを用いる必要があった。ところで、特許文献１には、無線（ＲＦ）通信方式と赤外線（ＩＲ）通信方式とのデータを変換して転送する無線／赤外線変換アダプタに関する技術について開示されている。また、特許文献２には、専用リモコンからの赤外線操作信号が到達しない場所に配置された電子機器を操作するために、赤外線搬送波を変調して送信する技術が開示されている。また、特許文献３には、赤外線リモートコントローラによるリモートコントロール機能しか備えない電子機器をホームサーバから制御し、インターネットを介して遠隔制御可能にするホームネットワークシステムについて開示されている。
【先行技術文献】
【特許文献】
【０００３】
【特許文献１】特開２００４−３１９９９号公報
【特許文献２】特開２００３−２５９４６４号公報
【特許文献３】特開２００５−２７７４８５号公報
【発明の概要】
【発明が解決しようとする課題】
【０００４】
しかしながら、上記従来の技術では、家庭内のどの場所からでも専用リモコンで操作することができなかった。また、特許文献１乃至特許文献３に記載の技術においても、専用リモコンから送信される操作信号を別の信号に変換する際に、状況に応じた信号の変換などについて十分考慮されていなかった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
操作端末（リモコン５０）による、操作対象機器（モニタ４０）、及び該操作対象機器に対してデータを送信するよう構成されたサーバ装置（サーバ３０）、の操作を中継する無線通信装置（スマートフォン１０）であって、
前記操作端末（リモコン５０）から第１近距離無線通信（ＩＲ通信などの近距離無線通信）で送信された、前記操作対象機器（モニタ４０）または前記サーバ装置（サーバ３０）を操作するための第１操作信号（リモコン５０から送信される操作信号）を受信するよう構成された近距離無線受信部（第１近距離無線通信部１１０）と、
前記第１近距離無線通信より遠距離での無線通信が可能な遠距離無線通信（Ｗｉ−Ｆｉ通信）で、前記サーバ装置（サーバ３０）に対して第２操作信号（スマートフォン１０からサーバ３０に送信される操作信号）を送信するよう構成された遠距離無線送信部（Ｗｉ−Ｆｉ通信部１３０）と、
前記遠距離無線通信より近距離での無線通信が可能な第２近距離無線通信（ＩＲ通信などの近距離無線通信）で、前記操作対象機器（モニタ４０）に対して第３操作信号（スマートフォン１０からモニタ４０に送信される操作信号）を送信するよう構成された近距離無線送信部（第２近距離無線通信部１２０）と、
前記近距離無線受信部（第１近距離無線通信部１１０）で受信された前記第１操作信号（リモコン５０から送信される操作信号）の内容に応じて、該第１操作信号を、前記第２操作信号（スマートフォン１０からサーバ３０に送信される操作信号）または前記第３操作信号（スマートフォン１０からモニタ４０に送信される操作信号）のいずれかに変換するよう構成された操作信号変換部（制御部１００）と、を備える
ことを特徴とする無線通信装置（スマートフォン１０）である。
【０００７】
上記構成の無線通信装置（スマートフォン１０）によれば、サーバ装置（サーバ３０）の専用リモコンを利用しつつ、家庭内のどの部屋からもサーバ装置（サーバ３０）を操作することが可能となる。また、このリモコンをサーバ装置（サーバ３０）と操作対象機器（モニタ４０）の双方を操作可能なリモコンとすることが可能であり、ユーザは、操作対象機器（モニタ４０）に対する操作かサーバ装置（サーバ３０）に対する操作かを意識することなく、ユーザによるこれらの装置の操作を実現することができる。ひいては、システムの操作性を高めることができる。
【０００８】
本発明の手段２は、
操作対象機器（モニタ４０）を操作するための、操作端末（リモコン５０）、サーバ装置（サーバ３０）、及び無線通信装置（スマートフォン１０）を含む無線操作システムであって、
前記操作端末（リモコン５０）は、
検出された操作入力（ユーザによるキー操作など）に応じて、前記操作対象機器（モニタ４０）または前記サーバ装置（サーバ３０）を操作するための第１操作信号（リモコン５０から送信される操作信号）を、第１近距離無線通信（ＩＲ通信などの近距離無線通信）で、前記無線通信装置（スマートフォン１０）または前記サーバ装置（サーバ３０）に送信するよう構成された操作端末近距離無線送信部（第１近距離無線通信部５１０）を備え、
前記無線通信装置（スマートフォン１０）は、
前記第１操作信号を受信するよう構成された近距離無線受信部（第１近距離無線通信部１１０）と、
前記第１近距離無線通信より遠距離での無線通信が可能な遠距離無線通信（Ｗｉ−Ｆｉ通信）で、前記サーバ装置（サーバ３０）に対して第２操作信号（スマートフォン１０からサーバ３０に送信される操作信号）を送信するよう構成された遠距離無線送信部（Ｗｉ−Ｆｉ通信部１３０）と、
前記遠距離無線通信より近距離での無線通信が可能な第２近距離無線通信（ＩＲ通信などの近距離無線通信）で、前記操作対象機器（モニタ４０）に対して第３操作信号（スマートフォン１０からモニタ４０に送信される操作信号）を送信するよう構成された近距離無線送信部（第２近距離無線通信部１２０）と、
前記近距離無線受信部（第１近距離無線通信部１１０）で受信された前記第１操作信号（リモコン５０から送信された操作信号）の内容に応じて、該第１操作信号を、前記第２操作信号（スマートフォン１０からサーバ３０に送信される操作信号）または前記第３操作信号（スマートフォン１０からモニタ４０に送信される操作信号）のいずれかに変換するよう構成された操作信号変換部（制御部１００）と、を備え、
前記サーバ装置（サーバ３０）は、
前記第１操作信号（リモコン５０から送信された操作信号）を受信するよう構成されたサーバ装置近距離無線受信部（第１近距離無線通信部３１０）と、
前記第２操作信号号（スマートフォン１０からサーバ３０に送信される操作信号）を受信するよう構成されたサーバ装置遠距離無線受信部（Ｗｉ−Ｆｉ通信部３３０）と、
前記第１操作信号及び前記第２操作信号に基づいて、前記操作対象機器（モニタ４０）にデータを送信するよう制御する制御部（３００）と、を備え、
前記操作端末近距離無線送信部（第１近距離無線通信部５１０）は、前記サーバ装置近距離無線受信部（第１近距離無線通信部３１０）で前記第１操作信号（リモコン５０から送信された操作信号）を受信可能な状態でのみ、前記第１操作信号を前記サーバ装置（サーバ３０）に送信する
ことを特徴とする無線操作システムである。
【０００９】
上記構成の無線操作システムによれば、サーバ装置（サーバ３０）の専用リモコン（リモコン５０）を利用しつつ、家庭内のどの部屋からもサーバ装置（サーバ３０）を操作することが可能となる。また、このリモコンをサーバ装置（サーバ３０）と操作対象機器（モニタ４０）の双方を操作可能なリモコンとすることが可能であり、操作対象機器（モニタ４０）に対する操作かサーバ装置（サーバ３０）に対する操作かを意識することなく、ユーザによるこれらの装置の操作を実現することができる。ひいては、システムの操作性を高めることができる。さらに、サーバ装置（サーバ３０）が操作端末（リモコン５０）の近くにある場合には、サーバ装置（サーバ３０）と操作端末（リモコン５０）との通信を、ＩＲ通信などの近距離無線通信で行うことが可能となる。
【００１０】
本発明の手段３は、
操作対象機器（モニタ４０）を操作するための、操作端末（リモコン５０）、サーバ装置（サーバ３０）、及び無線通信装置（スマートフォン１０）を含む無線操作システムであって、
前記操作端末（リモコン５０）は、
検出された操作入力（ユーザによるキー操作など）に応じて、前記操作対象機器（モニタ４０）または前記サーバ装置（サーバ３０）を操作するための第１操作信号（リモコン５０から送信される操作信号）を、第１近距離無線通信（ＩＲ通信などの近距離無線通信）で、前記無線通信装置（スマートフォン１０）及び前記サーバ装置（サーバ３０）に送信するよう構成された操作端末近距離無線送信部（第１近距離無線通信部５１０）を備え、
前記無線通信装置（スマートフォン１０）は、
前記第１操作信号を受信するよう構成された近距離無線受信部（第１近距離無線通信部１１０）と、
前記第１近距離無線通信より遠距離での無線通信が可能な遠距離無線通信（Ｗｉ−Ｆｉ通信）で、前記サーバ装置（サーバ３０）に対して第２操作信号（スマートフォン１０からサーバ３０に送信される操作信号）を送信するよう構成された遠距離無線送信部（Ｗｉ−Ｆｉ通信部１３０）と、
前記遠距離無線通信より近距離での無線通信が可能な第２近距離無線通信（ＩＲ通信などの近距離無線通信）で、前記操作対象機器（モニタ４０）に対して第３操作信号（スマートフォン１０からモニタ４０に送信される操作信号）を送信するよう構成された近距離無線送信部（第２近距離無線通信部１２０）と、
前記近距離無線受信部（第１近距離無線通信部１１０）で受信された前記第１操作信号（リモコン５０から送信された操作信号）の内容に応じて、該第１操作信号を、前記第２操作信号（スマートフォン１０からサーバ３０に送信される操作信号）または前記第３操作信号（スマートフォン１０からモニタ４０に送信される操作信号）のいずれかに変換するよう構成された操作信号変換部（制御部１００）と、
前記サーバ装置（サーバ３０）から、前記サーバ装置が前記第１操作信号（リモコン５０から送信された操作信号）を受信したことを示す受信確認情報を受信する確認情報受信部（Ｗｉ−Ｆｉ通信部１３０）と、を備え、
前記サーバ装置（サーバ３０）は、
前記第１操作信号（リモコン５０から送信された操作信号）を受信するよう構成されたサーバ装置近距離無線受信部（第１近距離無線通信部３１０）と、
前記第２操作信号（スマートフォン１０からサーバ３０に送信される操作信号）を受信するよう構成されたサーバ装置遠距離無線受信部（Ｗｉ−Ｆｉ通信部３３０）と、
前記第１操作信号及び前記第２操作信号に基づいて、前記操作対象機器（モニタ４０）にデータを送信するよう制御する制御部（３００）と、
前記サーバ装置近距離無線受信部（第１近距離無線通信部３１０）による前記第１操作信号（リモコン５０から送信された操作信号）の受信状況に応じて、前記無線通信装置（スマートフォン１０）に対して前記受信確認情報を送信する確認情報送信部（Ｗｉ−Ｆｉ通信部３３０）と、備え、
前記無線通信装置（スマートフォン１０）の前記遠距離無線送信部（Ｗｉ−Ｆｉ通信部１３０）は、前記受信確認情報が、前記サーバ装置近距離無線受信部による前記第１操作信号の受信不能を示すときにのみ、前記サーバ装置に対して前記第２操作信号（スマートフォン１０からサーバ３０に送信される操作信号）を送信する
ことを特徴とする無線操作システムである。
【００１１】
上記構成の無線操作システムによれば、サーバ装置（サーバ３０）の専用リモコン（リモコン５０）を利用しつつ、家庭内のどの部屋からもサーバ装置（サーバ３０）を操作することが可能となる。また、このリモコンをサーバ装置（サーバ３０）と操作対象機器（モニタ４０）の双方を操作可能なリモコンとすることが可能であり、操作対象機器（モニタ４０）に対する操作かサーバ装置（サーバ３０）に対する操作かを意識することなく、ユーザによるこれらの装置の操作を実現することができる。ひいては、システムの操作性を高めることができる。さらに、操作端末（リモコン５０）が無線通信装置（スマートフォン１０）及びサーバ装置（サーバ３０）に対して同時に近距離無線通信で操作信号を送信して、サーバ装置（サーバ３０）及び操作対象機器（モニタ４０）を操作する処理を実行可能となる。
【００１２】
本発明の手段４は、
前記無線通信装置（スマートフォン１０）は、画像を表示可能な表示部（タッチパネル１４０に含まれる表示部）をさらに備え、
前記表示部は、前記確認情報送信部による前記受信確認情報（リモコン５０とサーバ３０との接続状況を示す情報）の受信状況に応じた操作状況を表示するよう構成された
ことを特徴とする手段３の無線操作システムである。
【００１３】
上記構成の無線操作システムによれば、無線通信装置（スマートフォン１０）の表示部を確認することで、操作端末（リモコン５０）とサーバ装置（サーバ３０）との接続状況を確認することが可能となる。
【図面の簡単な説明】
【００１４】
【図１】無線操作システムの構成例を示す図。
【図２】リモコンの構成例を示す図。
【図３】スマートフォンの構成例を示す図。
【図４】サーバの構成例を示す図。
【図５】モニタの構成例を示す図。
【図６】実施形態１のリモコン制御データの処理を示すフローチャート。
【図７】実施形態２のリモコン制御データの処理を示すフローチャート。
【図８】実施形態３のリモコン制御データの処理を示すフローチャート。
【図９】実施形態４のリモコン制御データの処理を示すフローチャート。
【発明を実施するための形態】
【００１５】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）無線操作システムの構成例
（２）リモコン制御データの処理の具体例
２．実施形態２
３．実施形態３
４．実施形態４
５．補足事項
６．本発明の特徴
【００１６】
＜１．実施形態１＞
まず、本発明の実施形態１について、図１乃至図６を参照しながら説明する。
【００１７】
＜（１）無線操作システムの構成例＞
図１は、本実施形態の無線操作システムの構成例を示す図である。図１に示すように、本実施形態の無線操作システムは、リモコン５０、スマートフォン１０、無線ＬＡＮルータ２０、サーバ３０、及び複数のモニタ４０Ａ〜４０Ｃを含んで構成される。これらの装置間は、原則として、いずれも無線で接続される。
【００１８】
この無線操作システムでは、サーバ３０からモニタ４０Ａ〜４０Ｃに対して映像コンテンツなどの映像データを送信することができ、ユーザは、いずれかのモニタ４０Ａ〜４０Ｃによって映像コンテンツなどを閲覧することができるシステムである。本システムは、映像データ送受信システム、または無線ネットワークシステムなどと呼ぶこともできる。モニタ４０で映像コンテンツを視聴するとき、ユーザは、リモコン５０を操作して、視聴する映像コンテンツの切り替え、映像コンテンツの再生及び停止などの操作、及びモニタ４０における音量及び輝度などの調整を行うことができるよう構成されている。すなわち、ユーザは、リモコン５０を利用することで、サーバ３０に対する操作か、モニタ４０に対する操作かを気にすることなく、また、ＩＲ（赤外線）通信による操作か、Ｗｉ−Ｆｉ通信による操作かを気にすることなく、モニタ４０で所望の映像コンテンツの映像を視聴することができる。
【００１９】
なお、本実施形態の無線操作システムでは、より現実的なシステムを示すものとして、スマートフォン１０とサーバ３０との間に無線ＬＡＮルータ２０が配置される構成を例に挙げている。しかし、この無線ＬＡＮルータ２０は、スマートフォン１０とサーバ３０との間の通信のために介在するだけのものであるため、以下の説明では、スマートフォン１０とサーバ３０との間で信号の送受信が行われるものとして説明し、無線ＬＡＮルータ２０の介在については省略することがある。
【００２０】
＜リモコン５０＞
リモコン５０（リモートコントローラ）は、サーバ３０及びモニタ４０を操作するためにユーザが利用する操作端末である。ユーザは、モニタ４０の近くでリモコン５０を操作することで、サーバ３０からモニタ４０に対して送信される映像データのコンテンツの変更や、モニタ４０から発せられる音声の音量を調整することができる。また、リモコン５０は、ジャイロセンサ（角速度センサ）などをさらに含む構成であってもよい。
【００２１】
図２は、リモコン５０の具体的な構成例を示す図である。図２に示されるように、リモコン５０は、制御部５００、第１近距離無線通信部５１０、及び操作検出部５４０を含んで構成される。
【００２２】
＜制御部５００＞
制御部５００は、リモコン５０における種々の処理を実行可能に構成された制御手段であり、操作検出部５４０で検出されたユーザによる操作に基づいて、第１近距離無線通信部５１０からリモコン制御データ（操作信号とも呼ぶ）を送信するよう構成される。制御部５００は、操作検出部５４０から入力された操作入力の情報に基づいて、この操作入力情報に対応するリモコン制御データを生成することができる。制御部５００は、第１近距離無線通信部５１０を制御して、上記のリモコン制御データを送信させる。実際の動作時における制御部５００の動作については後述する。
【００２３】
＜第１近距離無線通信部５１０＞
第１近距離無線通信部１１０は、概ね家庭内の各部屋内で通信可能なＩＲ（赤外線）通信などの無線通信によって、制御部５００の制御により、リモコン制御データを送信するよう構成される。第１近距離無線通信部５１０は、スマートフォン１０の第１近距離無線通信部１１０、及びサーバ３０の第１近距離無線通信部３１０との間で、信号の送受信を実行可能である。
【００２４】
＜操作検出部５４０＞
操作検出部５４０は、ユーザによる操作キー（図示せず）の押下、またはタッチパネル（図示せず）への接触などの操作入力を検出し、検出した操作入力の情報を制御部５００に出力するよう構成される。
【００２５】
＜スマートフォン１０＞
スマートフォン１０は、サーバ３０及びモニタ４０を操作するためのリモコンソフトを実行できるよう構成された携帯端末である。本実施形態では、このリモコンソフトを実行中のスマートフォン１０について説明する。リモコンソフトを実行中のスマートフォン１０は、ユーザの操作によりサーバ３０及びモニタ４０を操作することができる。
【００２６】
図３は、スマートフォン１０の具体的な構成例を示す図である。図３に示されるように、スマートフォン１０は、制御部１００、第１近距離無線通信部１１０、第２近距離無線通信部１２０、Ｗｉ−Ｆｉ通信部１３０、タッチパネル１４０、及びメモリ１５０を含んで構成される。
【００２７】
＜制御部１００＞
制御部１００は、スマートフォン１０における種々の処理を実行可能に構成された制御手段であり、第１近距離無線通信部１１０、第２近距離無線通信部１２０、及びＷｉ−Ｆｉ通信部１３０で受信された信号、並びにタッチパネル１４０で検出されたユーザの操作などに基づいて種々の処理を実行し、第１近距離無線通信部１１０、第２近距離無線通信部１２０、Ｗｉ−Ｆｉ通信部１３０、タッチパネル１４０、及びメモリ１５０の各要素を制御するよう構成される。制御部１００は、受信したリモコン制御データを、別の通信方式で送信するためのリモコン制御データに変換することができる。実際の動作時における制御部１００の動作については後述する。
【００２８】
＜第１近距離無線通信部１１０＞
第１近距離無線通信部１１０は、概ね家庭内の各部屋内で通信可能なＩＲ（赤外線）通信などの無線通信によって、リモコン制御データを受信し、受信したリモコン制御データを制御部１００に出力するよう構成される。より具体的には、第１近距離無線通信部１１０は、リモコン５０の第１近距離無線通信部５１０からリモコン制御データを受信することができる。
【００２９】
＜第２近距離無線通信部１２０＞
第２近距離無線通信部１２０は、概ね家庭内の各部屋内で通信可能なＩＲ（赤外線）通信などの無線通信によって、制御部１００の制御により、リモコン制御データを送信するよう構成される。第２近距離無線通信部１２０は、モニタ４０の第２近距離無線通信部４２０に対してリモコン制御データを送信することができる。
【００３０】
スマートフォン１０の第１近距離無線通信部１１０と、リモコン５０の第１近距離無線通信部５１０とは、互いに同じ近距離無線通信の方式（第１近距離無線通信の方式）で接続される。さらに、サーバ３０の第１近距離無線通信部３１０も、同じ近距離無線通信の方式（第１近距離無線通信の方式）で、これらと接続される。また、スマートフォン１０の第２近距離無線通信部１２０と、モニタ４０の第２近距離無線通信部４２０とは、互いに同じ近距離無線通信の方式（第２近距離無線通信の方式）で接続される。これらの近距離無線通信の方式は、互いに異なる通信方式であってもよいし、同じ通信方式であってもよい。
【００３１】
＜Ｗｉ−Ｆｉ通信部１３０＞
Ｗｉ−Ｆｉ通信部１３０は、無線ＬＡＮを利用したＷｉ−Ｆｉ無線通信によって、サーバ３０との間で信号を送受信するよう構成される。特に、本実施形態では、Ｗｉ−Ｆｉ通信部１３０は、サーバ３０のＷｉ−Ｆｉ通信部３３０に対してリモコン制御データを送信することができる。また、Ｗｉ−Ｆｉ通信部１３０は、サーバ３０のＷｉ−Ｆｉ通信部３３０に対して、サーバ３０とリモコン５０との接続状況を示す受信確認情報を要求し、サーバ３０から送信される受信確認情報を受信することができる。Ｗｉ−Ｆｉ通信部１３０は、受信した受信確認情報を制御部１００に出力する。
【００３２】
＜タッチパネル１４０＞
タッチパネル１４０は、表示部と一体に形成され、ユーザによる接触による操作を検出可能に構成される。タッチパネル１４０と一体に形成された表示部は、ＬＣＤまたは有機ＥＬディスプレイなどで構成される。タッチパネル１４０は、ユーザによる接触を検出すると、検出されたユーザによる操作を制御部１００に出力するよう構成される。また、タッチパネル１４０と一体形成された表示部は、制御部１００から入力された画像データに応じて、ユーザが視認可能な状態で画像（映像を含む）を表示するよう構成される。
【００３３】
＜メモリ１５０＞
メモリ１５０は、制御部１００の制御により、種々のデータを記憶し、記憶しているデータを制御部１００に出力可能に構成される。メモリ１５０は、例えば、スマートフォン１０で実行されるリモコンソフトなどを記憶する。
【００３４】
＜サーバ３０＞
サーバ３０は、配信されている配信映像データを受信してこの配信映像データの映像データや、メモリ３５０に記憶された映像コンテンツまたはゲームなどの各種コンテンツの映像データを、モニタ４０に無線で送信するよう構成される。つまり、サーバ３０は、所謂マルチメディアコンテンツサーバである（またはセット・トップ・ボックスとも呼ばれる）。特に本実施形態では、サーバ３０は、リモコン５０の第１近距離無線通信部５１０から第１近距離無線通信の方式で送信されたリモコン制御データ、またはスマートフォン１０のＷｉ−Ｆｉ通信部１３０からＷｉ−Ｆｉ通信で送信されたリモコン制御データに基づいて、該サーバ３０で所定の処理を実行し、またはモニタ４０に所定の処理を実行するためのリモコン制御データを送信する。
【００３５】
図４は、サーバ３０の具体的な構成例を示す図である。図３に示されるように、サーバ３０は、制御部３００、第１近距離無線通信部３１０、Ｗｉ−Ｆｉ通信部３３０、メモリ３５０、及び配信映像データ受信部３６０を含んで構成される。
【００３６】
＜制御部３００＞
制御部３００は、サーバ３０における種々の処理を実行可能に構成された制御手段であり、第１近距離無線通信部３１０及びＷｉ−Ｆｉ通信部３３０で受信した信号などに基づいて種々の処理を実行し、第１近距離無線通信部３１０、Ｗｉ−Ｆｉ通信部３３０、メモリ３５０、及び配信映像データ受信部３６０の各要素を制御するよう構成される。制御部３００は、受信したリモコン制御データに基づいて、モニタ４０に送信する映像データを制御することができる。また、制御部３００は、受信したリモコン制御データの内容がモニタ４０で実行されるべきものであった場合、このリモコン制御データをモニタ４０に送信するようＷｉ−Ｆｉ通信部３３０を制御する。実際の動作時における制御部３００の動作については後述する。
【００３７】
＜第１近距離無線通信部３１０＞
第１近距離無線通信部３１０は、概ね家庭内の各部屋内で通信可能なＩＲ（赤外線）通信などの無線通信によって、リモコン制御データを受信し、受信したリモコン制御データを制御部３００に出力するよう構成される。より具体的には、第１近距離無線通信部１１０は、リモコン５０の第１近距離無線通信部５１０からリモコン制御データを受信することができる。
【００３８】
＜Ｗｉ−Ｆｉ通信部３３０＞
Ｗｉ−Ｆｉ通信部３３０は、無線ＬＡＮを利用したＷｉ−Ｆｉ無線通信によって、スマートフォン１０及びモニタ４０との間で信号を送受信するよう構成される。特に、本実施形態では、Ｗｉ−Ｆｉ通信部３３０は、スマートフォン１０のＷｉ−Ｆｉ通信部１３０からリモコン制御データを受信し、制御部３００に出力することができる。また、Ｗｉ−Ｆｉ通信部３３０は、制御部３００の制御により、スマートフォン１０のＷｉ−Ｆｉ通信部１３０から受信した、サーバ３０とリモコン５０との接続状況を示す接続状況情報の要求に応答して、接続状況情報を送信することができる。また、Ｗｉ−Ｆｉ通信部３３０は、制御部３００の制御により、モニタ４０に対してリモコン制御データを送信することができる。
【００３９】
＜メモリ３５０＞
メモリ３５０は、制御部３００の制御により、種々のデータを記憶し、記憶しているデータを制御部３００に出力可能に構成される。メモリ３５０は、例えば映画などの映像コンテンツの映像データ、及びゲームなどのコンテンツのデータを記憶可能に構成される。
【００４０】
＜配信映像データ受信部３６０＞
配信映像データ受信部３６０は、有線または無線で配信される配信映像データを受信可能に構成される。配信映像データ受信部３６０で受信された配信映像データは、制御部３００の制御により、必要に応じて符号化されて、Ｗｉ−Ｆｉ通信部３３０から映像データとして送信され、またはメモリ３５０に記憶される。
【００４１】
＜モニタ４０＞
モニタ４０は、例えば家庭内のリビング、ベッドルーム、及びキッチンなどに配置されたテレビを含む表示装置である。モニタ４０は、サーバ３０から受信した映像データを表示することができるよう構成される。
【００４２】
図５は、モニタ４０の具体的な構成例を示す図である。図５に示されるように、モニタ４０は、制御部４００、第２近距離無線通信部４２０、Ｗｉ−Ｆｉ通信部４３０、表示部４４０、及びメモリ４５０を含んで構成される。
【００４３】
＜制御部４００＞
制御部４００は、モニタ４０における種々の処理を実行可能に構成された制御手段であり、第２近距離無線通信部４２０またはＷｉ−Ｆｉ通信部４３０で受信された信号に基づいて種々の処理を実行し、第２近距離無線通信部４２０、Ｗｉ−Ｆｉ通信部４３０、表示部４４０、及びメモリ４５０を制御するよう構成される。
【００４４】
制御部４００は、第２近距離無線通信部４２０またはＷｉ−Ｆｉ通信部４３０で受信されたリモコン制御データに基づいて、スピーカー（図示せず）から発せられる音声の音量、及び表示部４４０で表示される画像（映像を含む）の輝度などを制御可能に構成される。
【００４５】
また、制御部４００は、Ｗｉ−Ｆｉ通信部４３０で受信された映像データに基づく映像を表示部４４０に表示するよう制御する。このとき、制御部４００は、Ｗｉ−Ｆｉ通信部４３０で受信された映像データが符号化されている場合には、この符号化された映像データを復号する。
【００４６】
＜第２近距離無線通信部４２０＞
第２近距離無線通信部４２０は、概ね家庭内の各部屋内で通信可能なＩＲ（赤外線）通信などの無線通信によって、リモコン制御データを受信し、受信したリモコン制御データを制御部４００に出力するよう構成される。第２近距離無線通信部４２０は、スマートフォン１０の第２近距離無線通信部１２０からリモコン制御データを受信することができる。
【００４７】
＜Ｗｉ−Ｆｉ通信部４３０＞
Ｗｉ−Ｆｉ通信部４３０は、無線ＬＡＮを利用したＷｉ−Ｆｉ無線通信によって、サーバ３０との間で信号を送受信するよう構成される。特に、本実施形態では、Ｗｉ−Ｆｉ通信部４３０は、サーバ３０のＷｉ−Ｆｉ通信部３３０から映像データまたはリモコン制御データを受信し、受信した映像データまたはリモコン制御データを制御部４００に出力するよう構成される。
【００４８】
＜表示部４４０＞
表示部４４０は、ＬＣＤまたは有機ＥＬディスプレイなどで構成され、制御部４００の制御により画像（映像を含む）を表示可能に構成される。
【００４９】
＜メモリ４５０＞
メモリ４５０は、制御部４００の制御により、種々のデータを記憶し、記憶しているデータを制御部４００に出力可能に構成される。メモリ４５０は、例えば、Ｗｉ−Ｆｉ通信部４３０で受信された映像データを一時的に記憶可能に構成される。
【００５０】
＜（２）リモコン制御データの処理の具体例＞
次に、上記構成の無線操作システムで実行されるリモコン制御データの処理について、図６に示すフローチャートを参照しながら具体的に説明する。
【００５１】
＜Ｓ６００〜Ｓ６１０＞
ユーザがリモコン５０を操作すると（Ｓ６００）、操作検出部５４０は、検出された操作入力の情報を制御部５００に出力する。制御部５００は、この操作入力の情報に対応するリモコン制御データ（操作信号）を生成し、このリモコン制御データを第１近距離無線通信部５１０からスマートフォン１０に対して送信させる（Ｓ６１０）。
【００５２】
＜Ｓ６２０〜Ｓ６３０＞
次に、上記の処理でリモコン５０から送信されたリモコン制御データを受信したスマートフォン１０の第１近距離無線通信部１１０は、受信したリモコン制御データを制御部１００に出力する。制御部１００は、このリモコン制御データをサーバ３０にＷｉ−Ｆｉ通信で送信するため、Ｗｉ−Ｆｉ通信で送信するためのリモコン制御データに変換する（Ｓ６２０）。そして、制御部１００は、このリモコン制御データをＷｉ−Ｆｉ通信部１３０からサーバ３０に対して送信させる（Ｓ６３０）。
【００５３】
＜Ｓ６４０〜Ｓ６５０＞
次に、上記の処理でスマートフォン１０からＷｉ−Ｆｉ通信で送信されたリモコン制御データを受信したサーバ３０のＷｉ−Ｆｉ通信部３３０は、受信したリモコン制御データを制御部３００に出力する（Ｓ６４０）。制御部３００は、このリモコン制御データで示される操作の内容が、サーバ３０で実行すべき内容であればサーバ３０で所定の処理を行う。一方、制御部３００は、このリモコン制御データで示される操作の内容がモニタ４０で実行されるべき内容であれば、このリモコン制御データをＷｉ−Ｆｉ通信部３３０からモニタ４０に対して送信させる（Ｓ６５０）。モニタ４０では、Ｗｉ−Ｆｉ通信部４３０で受信されたリモコン制御データに基づいて、所定の処理を行う。
【００５４】
上記のとおり、リモコン制御データにより示される操作の内容は、サーバ３０で実行されるべき内容と、モニタ４０で実行されるべき内容とに分けられる。サーバ３０で実行されるべき操作としては、モニタ４０に対して送信される映像データに対する操作や、サーバ３０における設定の操作などがある。この場合、サーバ３０の制御部３００は、メモリ３５０、及び配信映像データ受信部３６０を制御し、例えば、送信する映像データの再生、停止、及び早送りなどの処理や、送信するコンテンツの内容を変更する処理などを行う。一方、モニタ４０で実行されるべき操作としては、モニタ４０における音量または輝度の調整などがある。
【００５５】
以上の処理によって、ユーザによるリモコン５０の操作の内容に対応して、サーバ３０またはモニタ４０が所定の処理を実行する。これにより、ユーザはサーバ３０及びモニタ４０を、リモコン５０によって操作することができる。
【００５６】
＜２．実施形態２＞
次に、本発明の実施形態２について、図７に示すフローチャートを参照しながら説明する。
【００５７】
本実施形態の無線操作システムの構成は、実施形態１で説明したものと同様であるが、リモコン制御データの送受信処理が異なる。すなわち、本実施形態における無線操作システムでは、スマートフォン１０が、リモコン５０から受信したリモコン制御データを、サーバ３０またはモニタ４０に選択的に送信する点において相違している。以下の説明では、この相違点についての説明を行い、実施形態１と同様の内容についてはその説明を省略する。
【００５８】
＜Ｓ７００〜Ｓ７１０＞
ユーザがリモコン５０を操作すると（Ｓ７００）、操作検出部５４０は、検出された操作入力の情報を制御部５００に出力する。制御部５００は、この操作入力の情報に対応するリモコン制御データ（操作信号）を生成し、このリモコン制御データを第１近距離無線通信部５１０からスマートフォン１０に対して送信させる（Ｓ６１０）。
【００５９】
＜Ｓ７２０＞
次に、上記の処理でリモコン５０から送信されたリモコン制御データを受信したスマートフォン１０の第１近距離無線通信部１１０は、受信したリモコン制御データを制御部１００に出力する。制御部１００は、このリモコン制御データをサーバ３０またはモニタ４０のどちらに送信すべきかを判定するため、リモコン制御データの解析を行う（Ｓ７２０）。すなわち、制御部１００は、リモコン制御データの内容を解析し、このリモコン制御データで示される操作の内容が、サーバ３０で実行されるべき内容か、モニタ４０で実行されるべき内容かを判定する。リモコン制御データについての、サーバ３０で実行される内容と、モニタ４０で実行されるべき内容との違いについては、実施形態１で説明したものと同様である。
【００６０】
＜Ｓ７３０＞
上記の解析の結果、リモコン制御データの内容がモニタ４０で実行されるべき内容であると判定された場合（Ｓ７３０でＹ）、制御部１００は、このリモコン制御データを第２近距離無線通信の方式で送信するためのリモコン制御データに変換する。そして、制御部１００は、変換されたリモコン制御データを第２近距離無線通信部１２０からモニタ４０に対して送信させる。
【００６１】
＜Ｓ７４０＞
一方、リモコン制御データの内容がサーバ３０で実行されるべき内容であると判定された場合（Ｓ７３０でＮ）、制御部１００は、このリモコン制御データをＷｉ−Ｆｉ通信で送信するためのリモコン制御データに変換する。そして、制御部１００は、変換されたリモコン制御データをＷｉ−Ｆｉ通信部１３０からサーバ３０に対して送信させる。
【００６２】
＜Ｓ７５０〜Ｓ７６０＞
上記のＳ７３０の処理によって送信されたリモコン制御データを受信したモニタ４０の第２近距離無線通信部４２０は、受信したリモコン制御データを制御部４００に出力する（Ｓ７５０）。そして、制御部４００は、入力されたリモコン制御データに基づいて、所定の処理を実行する（Ｓ７６０）。
【００６３】
＜Ｓ７７０〜Ｓ７９０＞
上記のＳ７４０の処理によって送信されたリモコン制御データを受信したサーバ３０のＷｉ−Ｆｉ通信部３３０は、受信したリモコン制御データを制御部３００に出力する（Ｓ７７０）。そして、制御部３００は、入力されたリモコン制御データに基づいて、所定の処理を実行する（Ｓ７８０）。制御部３００は、リモコン制御データにより示される内容に基づいて必要な処理が行われた映像データを、Ｗｉ−Ｆｉ通信部３３０からモニタ４０に対して送信する。モニタ４０では、受信した映像データに基づく映像を表示部４４０に表示する処理が行われる（Ｓ７９０）。
【００６４】
＜３．実施形態３＞
次に、本発明の実施形態３について、図８に示すフローチャートを参照しながら説明する。
【００６５】
本実施形態の無線操作システムの構成は、実施形態１で説明したものと同様であるが、リモコン制御データの送受信処理が異なる。すなわち、本実施形態における無線操作システムでは、リモコン５０が、サーバ３０またはスマートフォン１０に選択的にリモコン制御データを送信する点において、実施形態１と相違している。以下の説明では、この相違点についての説明を行い、実施形態１と同様の内容についてはその説明を省略する。
【００６６】
＜Ｓ９００〜Ｓ９２０＞
ユーザがリモコン５０を操作すると（Ｓ９００）、操作検出部５４０は、検出された操作入力の情報を制御部５００に出力する。制御部５００は、この操作入力の情報に対応するリモコン制御データ（操作信号）を生成する。次に、制御部５００は、第１近距離無線通信部５１０とサーバ３０の第１近距離無線通信部３１０とが通信可能な状態かどうかを確認する（Ｓ９２０）。
【００６７】
＜Ｓ９３０〜Ｓ９４０＞
例えばサーバ３０とリモコン５０とが同じ部屋に配置されており、リモコン５０が近距離無線通信でサーバ３０と通信可能である場合には（Ｓ９２０でＹ）、リモコン５０の制御部５００は、第１近距離無線通信部５１０からサーバ３０に対してリモコン制御データを送信させる。このリモコン制御データを受信したサーバ３０の第１近距離無線通信部３１０は、リモコン制御データを制御部３００に出力する（Ｓ９３０）。制御部３００は、このリモコン制御データで示される操作の内容が、サーバ３０で実行すべき内容であればサーバ３０で所定の処理を行う。一方、制御部３００は、このリモコン制御データで示される操作の内容がモニタ４０で実行されるべき内容であれば、このリモコン制御データをＷｉ−Ｆｉ通信部３３０からモニタ４０に対して送信させる（Ｓ９４０）。モニタ４０では、Ｗｉ−Ｆｉ通信部４３０で受信されたリモコン制御データに基づいて、所定の処理を行う。
【００６８】
＜Ｓ６２０〜Ｓ６５０＞
一方、サーバ３０がリモコン５０と異なる部屋に配置されているなどの理由で、リモコン５０がサーバ３０と通信ができない状態である場合には（Ｓ９２０でＮ）、リモコン５０の制御部５００は、第１近距離無線通信部５１０からスマートフォン１０に対してリモコン制御データを送信する。その後の処理については、実施形態１と同様である。
【００６９】
＜４．実施形態４＞
次に、本発明の実施形態４について、図９に示すフローチャートを参照しながら説明する。
【００７０】
本実施形態の無線操作システムの構成は、実施形態１で説明したものと同様であるが、リモコン制御データの送受信処理が異なる。すなわち、本実施形態における無線操作システムでは、リモコン５０が、リモコン制御データを、一旦、サーバ３０及びスマートフォン１０の双方に送信する。そして、スマートフォン１０は、サーバ３０でリモコン制御データを受信できていない場合に、リモコン制御データをサーバ３０に送信する処理を行う点において、実施形態１と相違している。以下の説明では、この相違点についての説明を行い、実施形態１と同様の内容についてはその説明を省略する。また、実施形態３と同様の内容についても、その説明を省略する。
【００７１】
＜Ｓ１０００〜Ｓ１０１０＞
ユーザがリモコン５０を操作すると（Ｓ１０００）、操作検出部５４０は、検出された操作入力の情報を制御部５００に出力する。制御部５００は、この操作入力の情報に対応するリモコン制御データ（操作信号）を生成し、生成されたリモコン制御データをサーバ３０及びスマートフォン１０の双方に送信する（Ｓ１０１０）。
【００７２】
＜Ｓ９３０〜Ｓ９４０＞
次に、サーバ３０の第１近距離無線通信部３１０は、リモコン５０からリモコン制御データを受信したら、受信したリモコン制御データを制御部３００に出力する（Ｓ９３０）。その後の処理については、実施形態３の処理と同様である。
【００７３】
＜Ｓ１０２０＞
一方、スマートフォン１０の第１近距離無線通信部１１０では、リモコン５０からリモコン制御データを受信したら、制御部１００は、一定時間（例えば１秒）経過後にＷｉ−Ｆｉ通信部１３０からサーバ３０に対して受信確認要求を送信する（Ｓ１０２０）。
【００７４】
＜Ｓ１０３０＞
次に、サーバ３０のＷｉ−Ｆｉ通信部３３０は、受信した受信確認要求を制御部３００に出力する。そして、制御部３００は、受信確認要求の入力に応答して、リモコン５０からリモコン制御データを受信しているか否かを示す受信確認情報を、Ｗｉ−Ｆｉ通信部３３０からスマートフォン１０に送信させる（Ｓ１０３０）。
【００７５】
＜Ｓ１０４０〜Ｓ１０５０＞
次に、スマートフォン１０のＷｉ−Ｆｉ通信部１３０は、受信した受信確認情報を制御部１００に出力する（Ｓ１０４０）。制御部１００は、この受信確認情報に基づいて、サーバ３０がリモコン５０からリモコン制御データを受信しているか否かを判定する（Ｓ１０５０）。
【００７６】
＜Ｓ１０４０＞
上記判定の結果、サーバ３０がリモコン５０からリモコン制御データを受信していなかった場合（Ｓ１０５０でＮ）、Ｓ６３０以降の処理が実行される。これらの処理については、実施形態１の処理と同様である。
【００７７】
＜Ｓ１０５０＞
一方、サーバ３０がリモコン５０からリモコン制御データを受信していた場合には、スマートフォン１０は処理を終了する。
【００７８】
上記の処理によって、ユーザによるリモコン５０の操作で生成されたリモコン制御データは、サーバ３０に送信され処理されることとなる。
【００７９】
＜５．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００８０】
上記実施形態において、無線ＬＡＮルータ２０とサーバ３０とは、無線ではなく有線で接続されていてもよい。このとき、サーバ３０は、スマートフォン１０から送信された信号を、無線ＬＡＮルータ２０から有線で受信することとなる。ただし、無線ＬＡＮルータ２０とサーバ３０とが無線で接続される構成では、ケーブルを必要としない映像送信システムを構成できるため好ましい。
【００８１】
また、スマートフォン１０は、同様の機能を備えるタブレット機器、専用リモコン装置などの無線通信装置と置き換えてもよい。
【００８２】
また、無線操作システムを構成する各装置は、それぞれが複数の構成に分けられてもよい。例えばサーバ３０は、Ｗｉ−Ｆｉ通信部３３０を含む無線機能を備える装置と、コンテンツを記憶するメモリ３５０を備える装置との複数の装置によって構成されてもよい。
【００８３】
また、無線操作システムにおける遠距離の無線通信に利用されるＷｉ−Ｆｉ通信は、別の通信方式を適用してもよい。
【００８４】
また、各実施形態は互いに組み合わせて実施されてもよい。
【００８５】
＜６．本発明の特徴＞
以上、説明したような構成の無線操作システム、及びこの無線操作システムに含まれる無線通信装置は、以下のような特徴を備える。
【００８６】
本発明の無線通信装置（スマートフォン１０）は、
操作端末（リモコン５０）による、操作対象機器（モニタ４０）、及び該操作対象機器に対してデータを送信するよう構成されたサーバ装置（サーバ３０）、の操作を中継する無線通信装置（スマートフォン１０）であって、
操作端末（リモコン５０）から第１近距離無線通信（ＩＲ通信などの近距離無線通信）で送信された、操作対象機器（モニタ４０）またはサーバ装置（サーバ３０）を操作するための第１操作信号（リモコン５０から送信される操作信号）を受信するよう構成された近距離無線受信部（第１近距離無線通信部１１０）と、
第１近距離無線通信より遠距離での無線通信が可能な遠距離無線通信（Ｗｉ−Ｆｉ通信）で、サーバ装置（サーバ３０）に対して第２操作信号（スマートフォン１０からサーバ３０に送信される操作信号）を送信するよう構成された遠距離無線送信部（Ｗｉ−Ｆｉ通信部１３０）と、
遠距離無線通信より近距離での無線通信が可能な第２近距離無線通信（ＩＲ通信などの近距離無線通信）で、操作対象機器（モニタ４０）に対して第３操作信号（スマートフォン１０からモニタ４０に送信される操作信号）を送信するよう構成された近距離無線送信部（第２近距離無線通信部１２０）と、
近距離無線受信部（第１近距離無線通信部１１０）で受信された第１操作信号（リモコン５０から送信される操作信号）の内容に応じて、該第１操作信号を、第２操作信号（スマートフォン１０からサーバ３０に送信される操作信号）または第３操作信号（スマートフォン１０からモニタ４０に送信される操作信号）のいずれかに変換するよう構成された操作信号変換部（制御部１００）と、を備える
ことを特徴とする。
【００８７】
上記構成の無線通信装置（スマートフォン１０）によれば、サーバ装置（サーバ３０）の専用リモコンを利用しつつ、家庭内のどの部屋からもサーバ装置（サーバ３０）を操作することが可能となる。また、このリモコンをサーバ装置（サーバ３０）と操作対象機器（モニタ４０）の双方を操作可能なリモコンとすることが可能であり、操作対象機器（モニタ４０）に対する操作かサーバ装置（サーバ３０）に対する操作かを意識することなく、ユーザによるこれらの装置の操作を実現することができる。ひいては、システムの操作性を高めることができる。
【００８８】
一方、本発明の無線操作システムは、
操作対象機器（モニタ４０）を操作するための、（１）操作端末（リモコン５０）、（２）サーバ装置（サーバ３０）、及び（３）無線通信装置（スマートフォン１０）を含む無線操作システムであって、
（１）操作端末（リモコン５０）は、
検出された操作入力（ユーザによるキー操作など）に応じて、操作対象機器（モニタ４０）またはサーバ装置（サーバ３０）を操作するための第１操作信号（リモコン５０から送信される操作信号）を、第１近距離無線通信（ＩＲ通信などの近距離無線通信）で、無線通信装置（スマートフォン１０）またはサーバ装置（サーバ３０）に送信するよう構成された操作端末近距離無線送信部（第１近距離無線通信部５１０）を備える。
（３）無線通信装置（スマートフォン１０）は、
第１操作信号を受信するよう構成された近距離無線受信部（第１近距離無線通信部１１０）と、
第１近距離無線通信より遠距離での無線通信が可能な遠距離無線通信（Ｗｉ−Ｆｉ通信）で、サーバ装置（サーバ３０）に対して第２操作信号（スマートフォン１０からサーバ３０に送信される操作信号）を送信するよう構成された遠距離無線送信部（Ｗｉ−Ｆｉ通信部１３０）と、
遠距離無線通信より近距離での無線通信が可能な第２近距離無線通信（ＩＲ通信などの近距離無線通信）で、操作対象機器（モニタ４０）に対して第３操作信号（スマートフォン１０からモニタ４０に送信される操作信号）を送信するよう構成された近距離無線送信部（第２近距離無線通信部１２０）と、
近距離無線受信部（第１近距離無線通信部１１０）で受信された第１操作信号（リモコン５０から送信された操作信号）の内容に応じて、該第１操作信号を、第２操作信号（スマートフォン１０からサーバ３０に送信される操作信号）または第３操作信号（スマートフォン１０からモニタ４０に送信される操作信号）のいずれかに変換するよう構成された操作信号変換部（制御部１００）と、を備える。
（２）サーバ装置（サーバ３０）は、
第１操作信号（リモコン５０から送信された操作信号）を受信するよう構成されたサーバ装置近距離無線受信部（第１近距離無線通信部３１０）と、
第２操作信号号（スマートフォン１０からサーバ３０に送信される操作信号）を受信するよう構成されたサーバ装置遠距離無線受信部（Ｗｉ−Ｆｉ通信部３３０）と、
第１操作信号及び第２操作信号に基づいて、操作対象機器（モニタ４０）にデータを送信するよう制御する制御部（３００）と、を備える。
そして、操作端末近距離無線送信部（第１近距離無線通信部５１０）は、サーバ装置近距離無線受信部（第１近距離無線通信部３１０）で第１操作信号（リモコン５０から送信された操作信号）を受信可能な状態でのみ、第１操作信号を前記サーバ装置（サーバ３０）に送信する
ことを特徴とする。
【００８９】
上記構成の無線操作システムによれば、サーバ装置（サーバ３０）の専用リモコン（リモコン５０）を利用しつつ、家庭内のどの部屋からもサーバ装置（サーバ３０）を操作することが可能となる。また、このリモコンをサーバ装置（サーバ３０）と操作対象機器（モニタ４０）の双方を操作可能なリモコンとすることが可能であり、操作対象機器（モニタ４０）に対する操作かサーバ装置（サーバ３０）に対する操作かを意識することなく、ユーザによるこれらの装置の操作を実現することができる。ひいては、システムの操作性を高めることができる。さらに、サーバ装置（サーバ３０）が操作端末（リモコン５０）の近くにある場合には、サーバ装置（サーバ３０）と操作端末（リモコン５０）との通信を、ＩＲ通信などの近距離無線通信で行うことが可能となる。
【００９０】
また、本発明の無線操作システムは、
操作対象機器（モニタ４０）を操作するための、（１）操作端末（リモコン５０）、（２）サーバ装置（サーバ３０）、及び（３）無線通信装置（スマートフォン１０）を含む無線操作システムであって、
操作端末（リモコン５０）は、
検出された操作入力（ユーザによるキー操作など）に応じて、操作対象機器（モニタ４０）またはサーバ装置（サーバ３０）を操作するための第１操作信号（リモコン５０から送信される操作信号）を、第１近距離無線通信（ＩＲ通信などの近距離無線通信）で、無線通信装置（スマートフォン１０）及びサーバ装置（サーバ３０）に送信するよう構成された操作端末近距離無線送信部（第１近距離無線通信部５１０）を備え、
無線通信装置（スマートフォン１０）は、
第１操作信号を受信するよう構成された近距離無線受信部（第１近距離無線通信部１１０）と、
第１近距離無線通信より遠距離での無線通信が可能な遠距離無線通信（Ｗｉ−Ｆｉ通信）で、前記サーバ装置（サーバ３０）に対して第２操作信号（スマートフォン１０からサーバ３０に送信される操作信号）を送信するよう構成された遠距離無線送信部（Ｗｉ−Ｆｉ通信部１３０）と、
遠距離無線通信より近距離での無線通信が可能な第２近距離無線通信（ＩＲ通信などの近距離無線通信）で、操作対象機器（モニタ４０）に対して第３操作信号（スマートフォン１０からモニタ４０に送信される操作信号）を送信するよう構成された近距離無線送信部（第２近距離無線通信部１２０）と、
近距離無線受信部（第１近距離無線通信部１１０）で受信された第１操作信号（リモコン５０から送信された操作信号）の内容に応じて、該第１操作信号を、第２操作信号（スマートフォン１０からサーバ３０に送信される操作信号）または第３操作信号（スマートフォン１０からモニタ４０に送信される操作信号）のいずれかに変換するよう構成された操作信号変換部（制御部１００）と、
サーバ装置（サーバ３０）から、サーバ装置が第１操作信号（リモコン５０から送信された操作信号）を受信したことを示す受信確認情報を受信する確認情報受信部（Ｗｉ−Ｆｉ通信部１３０）と、を備える。
サーバ装置（サーバ３０）は、
第１操作信号（リモコン５０から送信された操作信号）を受信するよう構成されたサーバ装置近距離無線受信部（第１近距離無線通信部３１０）と、
第２操作信号（スマートフォン１０からサーバ３０に送信される操作信号）を受信するよう構成されたサーバ装置遠距離無線受信部（Ｗｉ−Ｆｉ通信部３３０）と、
第１操作信号及び第２操作信号に基づいて、操作対象機器（モニタ４０）にデータを送信するよう制御する制御部（３００）と、
サーバ装置近距離無線受信部（第１近距離無線通信部３１０）による第１操作信号（リモコン５０から送信された操作信号）の受信状況に応じて、無線通信装置（スマートフォン１０）に対して受信確認情報を送信する確認情報送信部（Ｗｉ−Ｆｉ通信部３３０）と、備える。
そして、無線通信装置（スマートフォン１０）の遠距離無線送信部（Ｗｉ−Ｆｉ通信部１３０）は、受信確認情報が、サーバ装置近距離無線受信部による第１操作信号の受信不能を示すときにのみ、サーバ装置に対して第２操作信号（スマートフォン１０からサーバ３０に送信される操作信号）を送信する
ことを特徴とする。
【００９１】
上記構成の無線操作システムによれば、サーバ装置（サーバ３０）の専用リモコン（リモコン５０）を利用しつつ、家庭内のどの部屋からもサーバ装置（サーバ３０）を操作することが可能となる。また、このリモコンをサーバ装置（サーバ３０）と操作対象機器（モニタ４０）の双方を操作可能なリモコンとすることが可能であり、操作対象機器（モニタ４０）に対する操作かサーバ装置（サーバ３０）に対する操作かを意識することなく、ユーザによるこれらの装置の操作を実現することができる。ひいては、システムの操作性を高めることができる。さらに、操作端末（リモコン５０）が無線通信装置（スマートフォン１０）及びサーバ装置（サーバ３０）に対して同時に近距離無線通信で操作信号を送信して、サーバ装置（サーバ３０）及び操作対象機器（モニタ４０）を操作する処理を実行可能となる。
【００９２】
また、本発明の無線操作システムでは、
無線通信装置（スマートフォン１０）は、画像を表示可能な表示部（タッチパネル１４０に含まれる表示部）をさらに備え、
表示部は、確認情報送信部による受信確認情報（リモコン５０とサーバ３０との接続状況を示す情報）の受信状況に応じた操作状況を表示するよう構成された
ことをさらなる特徴とする。
【００９３】
上記構成の無線操作システムによれば、無線通信装置（スマートフォン１０）の表示部を確認することで、操作端末（リモコン５０）とサーバ装置（サーバ３０）との接続状況を確認することが可能となる。
【産業上の利用可能性】
【００９４】
本発明は、無線ネットワークに接続された操作対象端末と、操作対象端末にデータを送信するサーバ装置とを無線で操作するための無線通信装置などとして好適に適用される。
【符号の説明】
【００９５】
１０…スマートフォン
２０…無線ＬＡＮルータ
３０…サーバ
４０…モニタ
５０…リモコン
１００…制御部
１１０…第１近距離無線通信部
１２０…第２近距離無線通信部
１３０…Ｗｉ−Ｆｉ通信部
１４０…タッチパネル
１５０…メモリ
３００…制御部
３１０…第１近距離無線通信部
３３０…Ｗｉ−Ｆｉ通信部
３５０…メモリ
３６０…配信映像データ受信部
４００…制御部
４２０…第２近距離無線通信部
４３０…Ｗｉ−Ｆｉ通信部
４４０…表示部
４５０…メモリ
５００…制御部
５１０…第１近距離無線通信部
５４０…操作検出部
【図１】
0006357936.tif 000002
【図２】
0006357936.tif 000003
【図３】
0006357936.tif 000004
【図４】
0006357936.tif 000005
【図５】
0006357936.tif 000006
【図６】
0006357936.tif 000007
【図７】
0006357936.tif 000008
【図８】
0006357936.tif 000009
【図９】
0006357936.tif 000010